(57)【特許請求の範囲】
【請求項１】
ディスク状記録媒体を支持するトレイと、
上記トレイを取出可能に収容しているケース本体部と、
上記ケース本体部の開口部を開閉する蓋部とを備えてなるディスク収納ケースであって、
上記トレイは、自動装填用のグリップ部と、トレイの底面に駆動軸挿入用の開口部と少なくとも一つが長孔状に形成された位置決め孔とを有しており、ディスク状記録媒体を支持した状態で記録再生装置に装填されることを特徴とするディスク収納ケース。
【請求項２】
請求項１において、
トレイは、記録再生装置への挿入方向の両側部に、上記記録再生装置への挿入をガイドするガイド溝を有していることを特徴とするディスク収納ケース。
【請求項３】
請求項１において、
トレイは、ディスク支持部にディスクの非信号記録エリアを支持するディスク載置用の突部を有していることを特徴とするディスク収納ケース。
【請求項４】
請求項１において、
トレイとケース本体部には、トレイをケース本体部に収納したときに互いに嵌合してケース本体部からトレイが抜け出るのを防止する係合用の凹，凸部を設けたことを特徴とするディスク収納ケース。
【請求項５】
請求項１において、
ケース本体部は、トレイに支持されているディスクの周面を押圧してトレイの一側面に押付けるとともに、該トレイをケース本体部の側壁に押付けるディスク周面押圧部材を有していることを特徴とするディスク収納ケース。
【請求項６】
請求項１において、
蓋部は、閉蓋した状態で、トレイの上面を押圧して、該トレイをケース本体部の底面側に押付けるトレイ上面押圧部材を有していることを特徴とするディスク収納ケース。
【請求項７】
請求項１において、
トレイの幅は、ディスクの直径よりも幅狭に形成されていることを特徴とするディスク収納ケース。
【請求項８】
請求項１において、
トレイは、一端側の上面を押圧することにより、他端側がケース本体部から浮き上がる構成になっていることを特徴とするディスク収納ケース。
【請求項９】
請求項１において、
トレイは、ケース本体部の側壁の上端から外部に突出する指掛け用の突部を有していることを特徴とするディスク収納ケース。
【請求項１０】
請求項１において、
トレイは、枢支部によって回動可能にケース本体部又は蓋部に取付けられていることを特徴とするディスク収納ケース。
【請求項１１】
請求項１０において、
トレイは一端側の上面を押圧することによって上記枢支部を中心にして回動し、他端側がケース本体部の底面から浮上するようになっていることを特徴とするディスク収納ケース。
【請求項１２】
ディスク状記録媒体を支持するディスクトレイであって、
上記トレイは自動装填用のグリップ部と、トレイの底面に駆動軸挿入用の開口部と少なくとも一つが長孔状に形成された位置決め孔とを有しており、ディスク状記録媒体を支持した状態で記録再生装置に装填されることを特徴とするディスクトレイ。
【発明の詳細な説明】
【０００１】
【発明の属する技術分野】
本発明は、再生専用或は追加記録（追記）可能な磁気ディスク、光ディスク、光磁気ディスク等のディスク状記録媒体（以下、単にディスクという）を収納するディスク収納ケースおよびディスクトレイに関するものである。
【０００２】
【従来の技術】
ディスク収納ケースとして、一般に２種類のものが知られている。その１は、ケースからディスクを取出してディスクのみを記録再生装置に装填する方式のものであり、その２は、ディスクを収納したままの状態で記録再生装置に装填する所謂ディスクカートリッジにおけるディスク収納ケース（カートリッジ）である。
【０００３】
図３７は、ディスク２００を取出してから記録再生装置に装填する方式のディスク収納ケース２０１の斜視図である。上記ディスク収納ケース２０１は、四角形状の扁平な皿状に形成されたケース本体部２０２と、該ケース本体部２０２に回動可能に取付けられた蓋部２０３とからなっていて、上記ケース本体部２０２にディスク２００を挿入して、蓋部２０３を閉じることにより、ディスク２００を収納する構成になっている。
【０００４】
そして、上記ディスク２００を記録再生装置に装填する際には、蓋部２０３を開けて、ケース本体部２０２からディスク２００を取出して、該ディスク２００を記録再生装置のディスク挿入口に挿入するようになっている。
【０００５】
図３８は、ディスクカートリッジ３０１の斜視図である。上記ディスクカートリツジ３０１においてディスク収納ケースとしてのカートリッジ３０２は、上，下ハーフ３０３，３０４で構成されていて、これら上，下ハーフ３０３，３０４の間にディスク２００が回転自在に収容されている。
【０００６】
上記上，下ハーフ３０３，３０４には、駆動軸挿入用の開口部３０５と記録再生用の開口部３０６が形成されていて、これら開口部３０５．３０６は、シャッター３０７で開閉されるようになっている。
【０００７】
そして、上記ディスクカートリツジ３０１を記録再生装置に挿入すると、該記録再生装置に設けられたシャッター開放部材によって上記シャッター３０７が開けられて、上記駆動軸挿入用の開口部３０５から記録再生装置の駆動軸が導入されて、該駆動にディスク２００が取付けられるとともに、上記記録再生用の開口部３０６を介してディスク２００の信号記録面に記録再生装置のピックアップ装置等が臨むようになっている。
【０００８】
【発明が解決しようとする課題】
ところで、上記２種類のディスク収納ケースには、それぞれ次に述べるような問題点があった。
【０００９】
（１）ディスク２００を取出して、該ディスク２００のみを記録再生装置に装填する方式のディスク収納ケース２０１は、ケース本体部２０２からディスク２００を取出す際に、指先等でディスク２００の信号記録面が汚損されたり、あるいは、ディスク２００を記録再生装置に挿入する際に損傷を受けやすい。
【００１０】
（２）ディスクカートリツジ３０１のディスク収納ケース（カートリッジ）３０２は、ディスク２００を収納したままの状態で記録再生装置にそれぞれすることができるので、ディスク２００の信号記録面の汚損や損傷を防止することができるが、上，下ハーフ３０３，３０４にシャッター３０７を組み付けることにより構成されているために部品点数、組立工数が増え、ディスク収納ケース（カートリッジ）のコストが高くなり、当然のことながら、このようなディスク収納ケース３０２を使用するディスクカートリツジ３０１のコストも高くなる。  そこで、上述のようなディスク収納ケース（カートリッジ）にディスク挿抜口を設け、
該ディスク挿抜口を使用することにより収納するディスクを自由に交換できるようにした所謂ディスク交換式のディスク収納ケース（カートリッジ）も開発されている。
【００１１】
しかし、上記ディスク交換式のディスク収納ケースは、ディスク挿抜口を開閉する蓋が必要となり、構造が複雑になりコストが高くなるという問題点があるとともに、ディスクを挿抜する際にディスクを汚損したり損傷したりするという問題点があった。
【００１２】
本発明は、上記従来のディスク収納ケースの問題点を解決し、ディスクに直接手を触れることなく、ディスクを出し入れすることのできるディスク収納ケースおよびディスクトレイを提供することを目的としてなされたものである。
【００１３】
【課題を解決するための手段】
本発明は、ディスク状記録媒体を支持するトレイと、上記トレイを取出可能に収容しているケース本体部と、上記ケース本体部の開口部を開閉する蓋部とを備えてなるディスク収納ケースにおいて、
上記トレイに、自動装填用のグリップ部と、トレイの底面に駆動軸挿入用の開口部と少なくとも一つが長孔状に形成された位置決め孔とを設け、ディスク状記録媒体を支持した状態で記録再生装置に装填される構成にした。
また、ディスク状記録媒体を支持するディスクトレイにおいて、
上記トレイに、自動装填用のグリップ部と、トレイの底面に駆動軸挿入用の開口部と少なくとも一つが長孔状に形成された位置決め孔とを設け、ディスク状記録媒体を支持した状態で記録再生装置に装填される構成にした。
そして、上記構成により、ディスクを使用する際には、ケース本体部からディスクをトレイごと取出して記録再生装置に装填できるようにして、ディスクの汚損や損傷を可及的に防止することができるようにした。
【００１４】
【発明の実施の形態】
図１〜図５は、第１の実施例のディスク収納ケース１の分解斜視図である。上記ディスク収納ケース１は、ディスク２００を支持するトレイ２と、該トレイ２を取出可能に収容しいてるケース本体部３と、該ケース本体部３の開口部を開閉する蓋部４とからなっている。
【００１５】
上記ディスク２００は、合成樹脂により直径φ1、肉厚ｔ1の円板状に形成されていて、中心部にチャッキング用の孔部２００ａが設けられている。上記ディスク２００は、内，外周部が非信号記録エリア２００ｂ，２００ｃになっているとともに、これら非信号記録エリア２００ｂ，２００ｃの間が信号記録エリア２００ｄになっている。
【００１６】
上記トレイ２は、合成樹脂により文字通り皿状に作られていて、上記ディスク２００を挿入するディスク収納用の凹部２１を有している。上記ディスク収納用の凹部２１は、底板２２と、該底板２２の外周部に立設された第１，第２，第３の円弧状側壁２３，２４，２５によって円形状に形成されている。上記円形状のディスク収納用の凹部２１の直径φ2は、上記ディスク２００の直径φ1よりも若干大径に形成されていて、上記凹部２１の内部で上記ディスク２００を自由に回転させることができるようになっているとともに、上記凹部２１の深さｔ2は、上記ディスク２００の肉厚ｔ1よりも若干大き目に形成されていて、上記凹部２１にディスク２００を収納した場合に、上記ディスク２００の表面が上記凹部２１の表面から突出しないようにして、ディスク２００の信号記録エリア２００ｄを保護するようになっている。
【００１７】
上記第１の円弧状側壁２３の上端部には抜け防止突起２６，２６が形成されていて、これら突起２６，２６により、上記凹部２１内に収納したディスク２００が上記凹部２１から容易に抜け出ることのないようになっている。
【００１８】
上記底板２２の中央部には、上記ディスク２００のチャッキング孔２００ａに記録再生装置の駆動軸を挿入するための駆動軸挿入用の開口部２７が設けられているとともに、該駆動軸挿入用の開口部２７に連続させた状態で上記ディスク２００の信号記録エリア２００ｄに上記記録再生装置の光学ピックアップのレーザー光を当てるための記録再生用の開口部２８が設けられている。また、上記底板２２の両側部２９，３０（上記第１の円弧状側壁２３の一端部と第２の円弧状側壁２４の間および上記第１の円弧状側壁２３の他端部と第３の円弧状側壁２５の
間）は切欠された状態になっていて、上記凹部２１にディスク２００を収納すると、該ディスク２００の下面の両側部は、上記底板２２の両側部２９，３０から突出した状態になるようになっている。
【００１９】
上記ディスク収納用の凹部２１の一側部には、ベース部（把持部）３１が設けられている。上記ベース部３１の幅Ｗ1は、上記ディスク２００の直径φ1と略同じ値に形成されている。上記ベース部３１の両側部には、記録再生装置のオートチェンジャー（ディスク自動挿入装置）用のグリップ部３２，３３が設けられているとともに、これらグリップ部３２，３３の近傍には、記録再生装置に設けた位置決めピンが嵌合する一対の位置決め孔３４，３５が設けられている。上記一対の位置決め孔３４，３５のうちのいずれか一方は、長孔状に形成されていて、上記記録再生装置の位置決めピンと位置決め孔３４，３５の間の位置に若干の寸法誤差が発生した場合でも、上記長孔状の位置決め孔によって上記寸法誤差を吸収して、位置決めピンを確実に位置決め孔３４，３５に挿入させることができるようになっている。また、上記ベース部３１の中央部の上，下面には、滑止用の凹凸面３６が形成されていて、これら凹凸面３６を利用することにより、トレイ２を確実に把持することができるようになっている。
【００２０】
なお、図２に２点鎖線で示したように、駆動軸挿入用の開口部２７と記録再生用の開口部２８の間に隔壁部３７を設け、該隔壁部３７により、トレイ２の機械的強度を補強して、トレイ２に捻れ等が発生しないようにしてもよい。
【００２１】
次に、ケース本体部３について説明する。上記ケース本体部３は、矩形状の底板４１と、該底板４１の四周部に立設された前，後，左，右の側壁４２，４３，４４，４５とで構成されている。上記ケース本体部３の内幅Ｗ2は、上記トレイ３のベース部３１の幅Ｗ1と略同じ値に形成されているとともに、その長さＬ1は、上記凹部２１内にディスク２００を収納したトレイ３の長さＬ2よりも若干長目に形成されている。また、上記ケース本体部３の深さｔ3は、トレイ２の肉厚ｔ4よりも若干大き目に形成されている。上記左右の側壁４４，４５の、後部の側壁４３側の端部の対向部には、蓋部４を回動可能に取付けるための一対の軸受孔４６，４６が形成されている。
【００２２】
次に、蓋部４について説明する。上記蓋部４は、矩形状の天板５１と、該天板５２の左，右の側部に立設された左，右の側壁５２，５３とで構成されている。上記左，右の側壁５２，５３の内側面の一端部には、一対の枢支軸５４，５４が設けられている。
【００２３】
上記蓋部４は、上記一対の枢支軸５４，５４を上記ケース本体部３に設けた一対の軸受孔４６，４６に挿入することにより、上記ケース本体部３に取り付けられていて、上記ケース本体部３側に回動させると、上記左，右の側壁５２，５３は、上記ケース本体部３の左，右の側壁４４，４５の外側面に重なり合って、上記蓋部４は、ケース本体部３の開口部を閉じた状態で、ケース本体部３側に係止されるようになっている。
【００２４】
第１実施例のディスク収納ケース１は、上述のような構成である。従って、ディスク２００を傾斜させた状態で凹部２１に挿入すれば、該ディスク２００は、上記第１の円弧状側壁２３の上端部に設けた抜け防止突起２６，２６により容易に上記凹部２１から容易に抜け出ることがないように支持された状態になる。上述のようにして、ディスク２００を支持したトレイ２をケース本体部３内に収容する。そして、上記ケース本体部３上に蓋部４を被せて、閉蓋状態にすると、上記ケース本体部３内は、ほぼ密閉された状態になり、上記ディスク２００は、塵埃等から保護された状態で保管されることになるのである。
【００２５】
上記ディスク２００を使用する際、つまりディスク２００の記録再生を行う際には、上記ディスク２００を、トレイ２に支持したままの状態でケース本体部３から取出す。そして、上記ディスク２００は、トレイ２に支持されたままの状態で、トレイ２とともに、図４に示したように、記録再生装置４０１のディスク挿入口４０２に挿入される。
【００２６】
上記トレイ２が所定の位置まで挿入されると、記録再生装置４０１に設けたオートチェンジャーのグリッパー（図示省略）により、上記トレイ２に設けたグリップ部３２，３３がグリップされて、上記トレイ２およびディスク２００は、記録再生装置４０１のディスク装着部に装着される。
【００２７】
上記トレイ２がディスク装着部に装着されると、図５に示したように、記録再生装置４０１に設けた位置決めピン４０３，４０３が上記トレイ２に設けた位置決め孔３４，３５に嵌合して、トレイ２の位置決めが行われるとともに、記録再生装置４０１の駆動軸４０４が上記トレイ２に設けた駆動軸挿入用の開口部２７を通って、ディスク２００のチャッキング孔２００ａ内に導入され、上記ディスク２００は、上記ディスク収納用の凹部２１の底板２２から浮き上がり、かつ上記第１〜第３の円弧状側壁２３〜２５と非接触状態になって、上記駆動軸４０４にクラッパー４０５でチャッキングされた状態になるのである。なお、図５において、４０６は、トレイ２の高さ位置を規定する高さ位置規制部材、４０７は上記トレイ２の記録再生用の開口部２８に臨んで配置された光ピックアップである。
【００２８】
図６〜図８は、第２実施例のディスク収納ケースを示す。この実施例は、上記第１実施例のディスク収納ケース１のトレイ２の第２，第３の円弧状側壁２４，２５に代えて、弾性を有するディスク係合部材６１が設けられている。上記ディスク係合部材６１は、連結部６２を介して上記トレイ２と一体に形成された円弧状の側壁部６３と、該側壁部６３の上端部に設けられていて、内周側に突出するディスク抜け防止片６４とからなっている。上記側壁部６３は、ディスク収納用の凹部２１に収納したディスク２００の周面に接触して、該ディスク２００を、上記凹部２１を構成する第１の円弧状側壁２３に押付けている。また、上記ディスク抜け防止片６４は、上記第１の円弧状側壁２３の上端部に設けた抜け防止突起２６，２６と共に、ディスク２００の外周側の非信号記録エリア２００ｃに当たって上記ディスク２００が上記凹部２１から抜け出ないようにしている。
【００２９】
そして、上記トレイ２を記録再生装置４０１に装填すると、該記録再生装置に設けた操作部材によって、上記ディスク係合部材６１は、図７〜図８の矢印Ｂ方向に押圧され、上記側壁部６３がディスク２００の周面と非接触状態になるようになっている。なお、他の構成は、第１実施例と同じであるので同一構成部分には同一符号を付して重複する説明を省略する。
【００３０】
図９は、第３実施例を湿す。この実施例においては、トレイ２の左右両側面に第１，第２の挿入ガイド溝７１，７２を設けるとともに、下面にも第３の挿入ガイド溝７３を設けた。記録再生装置４０１のディスク挿入口４０２の左右両側部には、上記第１，第２の挿入ガイド突起４１１，４１２が設けられているとともに、底面には第３の挿入ガイド突起４１３が設けられている。
【００３１】
そして、上記トレイ２を記録再生装置４０１のディスク挿入口４０２に挿入すると、上記第１〜第３の挿入ガイド溝７１〜７３に上記第１〜第３の挿入ガイド突起４１１〜４１３が嵌合して、これら第１〜第３の挿入ガイド溝７１〜７３および挿入ガイド突起４１１〜４１３によって、トレイ２は位置決めされた状態で記録再生装置４０１内に挿入されるようになっている。他の構成は、第１，第２実施例と同じであるので重複する説明を省略する。
【００３２】
なお、図示は省略したが、上記第１の挿入ガイド溝７１と第２の挿入ガイド溝７２の高さ位置を変えて形成するとともに、これに合わせて記録再生装置４０１の第１の挿入ガイド突起４１１と第２の挿入ガイド突起の高さ位置を変えて形成することにより、上記トレイ２を正規の方向からディスク挿入口４０２に挿入すると、上記第１〜第３の挿入ガイド溝７１〜７３と上記第１〜第３の挿入ガイド突起４１１〜４１３の位置が一致してトレイ２の記録再生装置４０１への装填を許容するが、上記トレイ２を逆方向からディスク挿入口４０２に挿入しようとすると、上記第１〜第３の挿入ガイド溝７１〜７３と第１〜第３の挿入ガイド突起４１１〜４１３の位置が不一致となり、トレイ２の記録再生装置４０１への装填を阻止する構成としてもよい。
【００３３】
図１０は、第３実施例の変形例を示す。この変形例において、上記第１，第２の挿入ガイド溝７１，７２は、上記トレイ２の左，右の側面の下部から下面に跨って形成されている。上記第１，第２の挿入ガイド溝７１，７２に合わせて、記録再生装置４０１の第１，第２の挿入ガイド突起４１１，４１２も、上記ディスク挿入口４０２の左，右の側面から底面に跨って形成されている。そして、上記トレイ２をディスク挿入口４０２に挿入すれば、上記第１，第２の挿入ガイド溝７１，７２に上記第１，第２の挿入ガイド突起４１１，４１２が嵌合して、これら第１，第２の挿入ガイド突起４１１，４１２の上面に上記トレイ２の両側部（
上記第１，第２の挿入ガイド溝７１，７２の上部）が載置された状態になり、上記トレイ２は、上記第１，第２の挿入ガイド突起４１１，４１２上をスライドしながら記録再生装置４０１内に挿入されるようになっている。他の構成は、図９と同じであるので重複する説明は省略する。
【００３４】
図１１〜図１３は、第４実施例を示す。この実施例においては、トレイ２のディスク収納用の凹部２１の底板２２上にディスク載置用の突部８１…８１が設けられている。上記突部８１…８１は、上記ディスク１００の内，外周部の非信号記録エリア２００ｂ，２００ｃのいずれか一方又は両方に対応する位置に、図１１（Ａ）に示したように円弧状に、或は図１１（Ｂ）に示したように円柱状に形成されている。そして、上記ディスク２００をトレイ２のディスク収納用の凹部２１に収納すると、図１２に示したように上記突部８１…８１が上記ディスク２００の非信号記録エリア２００ｂ，２００ｃに当たり、上記ディスク２００は、
信号記録エリア２００ｄを上記凹部２１の底板２２から浮き上がらせた状態で支持されるのである。
【００３５】
上記ディスク載置用の突部８１は、図１３（Ａ）に示したように、トレイ２を樹脂形成する際に上記底板２２と一体に成形しても、或は図１３（Ｂ）に示したように、耐摩耗性の高い超高分子ポリエチレンシートやテフロンシート或はクッション性を有するフェルト８２等を両面テープ８３等で上記底板２２上に接着することにより形成してもよい。なお、他の構成は、第１〜第３実施例と同じであるので、重複する説明を省略する。
【００３６】
図１４〜図１５は、第５実施例を示す。この実施例においては、トレイ２のディスク収納用の凹部２１の底板２２上に、ディスククリーニング部材９１が設けられていて、該ディスククリーニング部材９１上にディスク２００が載置されるようになっている。
【００３７】
上記ディスククリーニング部材９１は、文字通りディスク２００を払拭して、その表面に付着している塵埃等を除去するためのものであり、図１５に示しように、クリーニング作用のあるシート状部材９２を両面テープ等の接着剤９３等で接着することにより、上記底板２２上に取付けられている。
【００３８】
上記シート状部材９２は、例えばポリエステルなどの合成繊維単体或は、これにレーヨン等を混紡した混紡繊維を無方向、不規則に分散、交錯させた布状体を加熱、加圧して自己融着させた不織布、上記不織布にＳＢＲ等のバインダーを含浸乾燥させたもの、０．０１〜１デニール程度の太さの極細繊維を織って形成された一般にワイピングクロスと称されている織物、上記不織物や織物に帯電処理を施したもの、或は発泡ウレタンシート等が用いられている。
【００３９】
図１６は、第６実施例を示す。この実施例は、トレイ２をケース本体部３内に収容したときに互いに係合して、トレイ２がケース本体部３から容易に抜け出るのを防止する係合用の凹，凸部１０１，１０２を設けた場合を示す。上記凹部１０１は、トレイ２のベース部３１の前端面および左右の側面にそれぞれ半球形状の溝を設けることにより形成されているとともに、上記凸部１０２は、ケース本体部３の前方の側壁４２および左右の側壁４４，４５の内側面に半球形状の膨出部を設けることにより形成されている。そして、上記トレイ２をケース本体部３に挿入すると、上記凹部１０１…１０１に凸部１０２…１０２が嵌合して、上記トレイ２をケース本体部３内に係止するようになっている。
【００４０】
上述のような構成にすることにより、ディスク収納ケース１を誤って落とすなどして蓋部４が開いた状態になっても、ケース本体部３からトレイ２が容易に飛び出すことがないようにして、ディスク２００を保護している。上記半球形状の凸部１０２に代えて上記ケース本体部３の側壁４２等の上端に舌片状の凸部１０４…１０４を形成し、これら舌片状の凸部１０４…１０４をトレイ２のベース部３１の上面に設けた凹部１０３…１０３に当てるようにしてもよい。他の構成は、第１〜第５実施例と同じであるので同一構成部分には同一符号を付して重複する説明を省略する。
【００４１】
図１７〜図１８は、第７実施例を示す。この実施例においては、ケース本体部３１の後部の側壁４３の内側面の中央部に、板バネや合成樹脂で作られたディスク周面押圧部材１１１が設けられている。
【００４２】
上記ディスク周面押圧部材１１１は、基板１１２と、該基板１１２に連設された弾性舌片１１３とからなっていて、上記基板１１２を接着することにより上記側壁４３に取付けられている。そして、上記ディスク２００を上記ディスク収納用の凹部２１に収容したトレイ３を上記ケース本体部３内に挿入すると、上記弾性舌片１１３でディスク２００の周面を押圧し、上記ディスク２００を上記トレイ２の第１の円弧状側壁２３の内周面に押付けるとともに、上記トレイ２を上記ケース本体部３の前方の側壁４２に押付けて、上記トレイ２をケース本体部３内に固定するようになっている。
【００４３】
図１９は、ディスク周面押圧部材１１１の変形例を示す。この変形例においては、ケース本体部３の側壁４３の中央部に切欠部４３ａを設け、該切欠部４３ａの両側部を上記ディスク周面押圧部材１１１の基板１１２の両側部に設けた溝部１１２ａ，１１２ａに嵌合することにより、上記側壁４３にディスク周面押圧部材１１１を着脱自在に取付けるようになっている。
【００４４】
図２０（Ａ），（Ｂ），（Ｃ）は、ディスク周面押圧部材１１の弾性舌片１１３の変形例を示す。これらの変形例において、上記弾性舌片１１３のディスク押圧面は、凹面状になっていて、上記ディスク２００の周面を確実に保持して押圧できるようになっている。なお、他の構成は、第１〜第６実施例と同じであるので重複する説明を省略する。
【００４５】
図２１は、第８実施例を示す。この実施例は、トレイ２をケース本体部３の底板２２側に押付けるトレイ上面押圧部材１２１…１２１を蓋部４に設けた。
【００４６】
上記トレイ上面押圧部材１２１…１２１は、蓋部４をケース本体部３に被せて閉蓋状態にすると、上記ケース本体部３の側壁４４，４５の上端部に設けた切欠部１２２…１２２からケース本体部３内に侵入して、上記トレイ２を押圧し、該トレイ２をケース本体部３のディスク収納用の凹部２１の底板２２に押付けるよ
うになっている。他の構成は第１〜第７実施例と同じであるので重複する説明を省略する。
【００４７】
図２２は、第９実施例を示す。この実施例において、トレイ２の幅Ｗ1は、ディスク２００の直径φ1よりもやや小さ目に形成されていて、ディスク２００をディスク収納用の凹部２１に収納したときに、上記ディスク２００の両側部がトレイ２から突出するようになっているとともに、上記ケース本体部３の外幅Ｗ3は、上記ディスク２００の直径φ1と略同じ大きさに形成されている。一方、ケース本体部３の左右の側壁４４，４５の中央部には切欠部１２３が設けられている。
【００４８】
そして、ディスク収納用の凹部２１にディスク２００を収容したトレイ２をケース本体部３内に挿入すると、上記トレイ２から突出しているディスク２００の両側部は、上記ケース本体部３の左右の側壁４４，４５の中央部に設けた切欠部１２３内に侵入して、該切欠部１２３内に収まるようになっている。
【００４９】
第９実施例のディスク収納ケース１は、上述のような構成であって、トレイ２からディスク２００の両側部が突出するので、該突出部を把持することにより、トレイ２へのディスク２００の着脱を容易に行うことができるという効果がある。他の構成は、第１〜第８実施例の場合と同じであるので重複する説明を省略する。
【００５０】
図２３〜２６図は、第１０〜第１３実施例を示す。これら各実施例においては、ケース本体部３からトレイ２を容易に取出すための手段が施されている。
【００５１】
図２３に示す第１０実施例においては、トレイ２のベース部３１のコーナー部３１ａは下面側が傾斜状に切欠されて薄肉部３１ｂになっている。そして、上記コーナー部３１ａの上面を押圧することにより、トレイ２の他端側を浮き上がらせて、ケース本体部３からトレイ２を容易に取出すことができるようになっている。
【００５２】
図２４に示す第１１実施例においては、ケース本体部３の底板２２上にトレイ２の回動支点となる凸部１２４を設けている。そして、トレイ２のベース部３１の上面を押圧すれば、上記トレイ２は、上記半球形状の凸部１２４を支点にして所謂シーソー状に回動し、他端側が持ち上げられるようになっている。上記トレイ２の他端側には被操作部１２５が設けられていて、該被操作部１２５を摘むことにより、容易にトレイ２をケース本体部３から取出すことができるようになっているとともに、上記被操作部１２５を押圧すると、上記ベース部３１側が持ち上げられて、該ベース部３１を摘んでトレイ２をケース本体部から容易に取出す
こともできるようになっている。
【００５３】
図２５に示す第１２実施例においては、トレイ２のベース部３１の前面の上端に指掛け用の突起１２６を設けた。上記突起１２６は、トレイ２をケース本体部３に収納したときに、該ケース本体部３の前方の側壁４２の上端の切欠部４２ａから外部に突出するようになっている。そして、上記突起１２６に指先を掛けて持ち上げることにより、トレイ２をケース本体部３から容易に取出すことができるようになっている。
【００５４】
図２６に示す第１３実施例においては、トレイ２のベース部３１の左右両側面の上端に左右一対の指掛け用の突起１２６，１２６を設けた。上記左右一対の突起１２６，１２６は、トレイ２をケース本体部３内に収納したときに、該ケース本体部３の左右の側壁４４，４５の上端の切欠部４４ａ，４５ａから外部に突出するようになっている。そして、上記一対の突起１２６，１２６に指先で摘んで持ち上げることにより、トレイ２をケース本体部３から容易に取出すことができる。上記第１０〜第１３実施例において、上記ケース本体部３からトレイ２を容易に取出すための手段以外の構成は、第１〜第９実施例の場合と同じであるので重複する説明を省略する。
【００５５】
図２７〜図３１は、第１４実施例を示す。この実施例は、トレイ２をケース本体部３又は蓋部４に対して枢支部１３１により回動させながら持ち上げることができるようにした場合を示す。図２７に示したように、上記枢支部１３１は、トレイ２のベース部３１と反対側の端部の左右両側部に設けられた適度の弾性を有する左右一対の脚片１３２，１３２と、これら一対の脚片１３２，１３２外側面にそれぞれ設けられた半球形状の枢支用の凸部１３３，１３３と、上記ケース本体部３の左右の側壁４４，４５の一端部に設けられた枢支用の凹部１３４，１３４とで構成されている。
【００５６】
そして、上記トレイ２をケース本体部３に収納すると、上記一対の脚片１３２，１３２に設けた半球形状の凸部１３３，１３３が上記ケース本体部３の左右の側壁４４，４５に設けた凹部１３４，１３４に嵌合して、トレイ２は、ケース本体部３内に回動可能に取付けられた状態になる。
【００５７】
従って、トレイ２のベース部３１側を持ち上げれば、図２８に示したように、上記トレイ２は、上記凸部１３３，１３３を中心にして回動し、ベース部３１がケース本体部３上に突出する。そこで、上記ベース部３１を引っ張れば、上記凸部１３３が凹部１３４から抜け出て、トレイ２は、ケース本体部３から取出された状態になるのである。
【００５８】
図２９に示したように、上記脚部１３２の上記凸部１３３側の先端部の下面を傾斜状に切欠して薄肉部１３２ａに形成し、該薄肉部１３２ａの上面を押圧することにより、上記ベース部３１側が浮き上がるようにしてもよい。
【００５９】
図２８〜図２９においては、上記一対の脚片１３２，１３２の凸部１３３を、ケース本体部３の側壁４４，４５に設けた凹部１３４に嵌合して、ケース本体部３に回動可能に枢支した場合を示したが、蓋部４の側壁５２，５３に設けた凹部に嵌合して、蓋部４に回動可能に枢支する構成としてもよい。
【００６０】
また、上記実施例では、上記脚部１３２に枢支用の凸部１３３を設け、ケース本体３側に凹部１３４を設けた場合を示しが、上記脚部１３２に枢支用の凹部１３４を設け、ケース本体部３側に枢支用の凸部１３３を設けてもよい。この場合に、上記枢支用の凸部１３３は、ケース本体部３の左右の側壁４４，４５に直接、形成することもできるが、図３０〜図３１に示したようにケース本体部３に回動可能に取付けた脚部支持部材１４１の左右の側壁１４２，１４３の内側面に枢支用の凸部１３３を設け、これら凸部１３３，１３３を上記脚部１３２に設けた凹部１３４に嵌合する構成としてもよい。
【００６１】
上記脚部支持部材１４１の左右の側壁１４２，１４３の外面には、枢支軸１４４が突設されている。図３１に示したように、上記枢支軸１４４は、ケース本体部３の左右の側壁４４，４５に設けた軸受孔に回転可能に挿入されている。上記枢支軸１４４の先端部は、上記左右の側壁４４，４５の外側面から突出している。そして、上記枢支軸１４４の先端部を、上記蓋部４の左右の側壁５２，５３に設けた軸受孔に挿入することにより、上記蓋部４を回動可能にケース本体部３に取付けることができるようになっている。図３０〜図３１においては、トレイ２をケース本体部３に回動可能に取付ける軸部およびケース本体部３に蓋部４を回動可能に取付けるための軸部を、上記トレイ２やケース本体部３或は蓋部４に直接、設ける必要がなくなるので、これらを合成樹脂等で形成する際にその成形が容易になるという効果がある。なお、第１４実施例において、トレイ２を回動させる手段を設けたこと以外の構成は、第１〜第１３実施例と同じであるので重複する説明を省略する。
【００６２】
図３２〜図３４は、第１５実施例を示す。この実施例においては、トレイ２のベース部３１の上，下面に連結用の凹，凸部１５１，１５２を設けた。そして、一のトレイン上に他のトレインを積み重ねると、図３３に示したように一方のトレイ２に設けた凹部１５１に、他方のトレイ２に設けた凸部１５２が嵌合して、上，下のトレイ２，２は、互いに結合された状態になる。図３４に示したように、凸部１５２を筒状に形成してスリット１５３を設けることにより、凹部１５１への着脱を容易に行うことができる。
【００６３】
図３５〜図３６は、第１６実施例を示す。この実施例においては、トレイ２のベース部３１の両側部に、上，下面を貫通する一対のファイル用の孔１６１，１６１を設けた。そして、図３６に示したように、上記ファイル用の孔１６１，１６１に、ファイル用治具１６２のファイル棒１６３，１６３を通すことにより、複数のトレイ２…２を積み重ねてファイルしておくことができるようになっている。
【００６４】
【発明の効果】
本発明のディスク収納ケースには次に述べるような効果がある。
【００６５】
（１）請求項１のディスク収納ケースは、ディスクをトレイで支持し、該トレイをケース本体部に収容する構成としたので、ディスクに直接、手を触れずにケース本体部に出し入れすることができる。グリップ部を設けたので、記録再生装置への自動装填が可能になる。トレイの底面に駆動軸挿入用の開口部を設けたので、該開口部から記録再生装置の駆動軸を導入して、該駆動軸上にディスクをチャッキングすることができる。トレイに複数の位置決め孔を設けたので、記録再生装置に装填したときに、上記位置決め孔に記録再生装置の位置決めピンを挿入してトレイの位置決めを行うことができる。特に、複数の位置決め孔のうちの一つを長孔状に形成したので位置決め孔や位置決めピンの位置精度が多少ラフであっても確実に位置決めを行うことができる。
【００６６】
（２）請求項２のディスク収納ケースは、トレイの側面に記録再生装置への挿入をガイドする挿入ガイド用の凹部を設けたのでトレイを記録再生装置に位置決めした状態で確実に挿入することができる。
【００６７】
（３）請求項３のディスク収納ケースは、トレイにディスクの非信号記録エリアを支持する凸部を設けたので、上記ディスクの信号記録エリアをトレイの底面から浮び上がられた状態で支持して、上記信号記録面を保護することができる。
【００６８】
（４）請求項４のディスク収納ケースは、トレイをケース本体部内に収容すると、これらトレイおよびケース本体部に設けた凸部と凹部が互いに係合して、トレイがケース本体部から容易に抜き出ることがないようにすることができる。
【００６９】
（５）請求項５のディスク収納ケースは、ケース本体部の側壁に設けたディスク周面押圧部材によって、ディスクの周面を押圧し、該ディスクをトレイの側壁に押付けて固定するとともに、上記トレイをケース本体部の側壁に押付て固定し、ディスクやトレイがケース本体部内でガタつかないようにすることができる。
【００７０】
（６）請求項６のディスク収納ケースは、蓋をした状態にすると蓋部に設けたトレイ上面押圧部材によってトレイの上面を押圧し、トレイをケース本体部の底面に押付けて、これらディスクおよびトレイがケース本体部内でガタつかないように固定することができる。
【００７１】
（７）請求項７のディスク収納ケースは、ディスクの直径よりもトレイの幅を狭くして、ディスクの両側部がトレイから突出するようにしたのでトレイへのディスクの出し入れが容易になる。
【００７２】
（８）請求項８のディスク収納ケースは、トレイの一端側の上面を押圧することにより、トレイの他端側をケース本体部の底面から浮き上がらせて、トレイをケース本体部から取出しやすくすることができる。
【００７３】
（９）請求項９のディスク収納ケースは、トレイにケース本体部の側壁の上端から外部に突出する指掛け用の突起を設けたので、該指掛突起に指先を掛けるなどしてトレイを持ち上げて容易にケース本体部からトレイを取り出すことができる。
【００７４】
（１０）請求項１０のディスク収納ケースは、トレイの一端側をケース本体部又は蓋部に、回動可能に取付けたので、上記トレイを回動させながら容易に上記ケース本体部上に持ち上げることができる。
【００７５】
（１１）請求項１１のディスク収納ケースは、トレイの一端側の上面を押圧することにより、トレイを回動させて、該トレイの他端側をケース本体部から浮き上がらせることができる。
【００７６】
（１２）請求項１２のディスク収納ケースは、ディスクをトレイに載置したままの状態で記録再生装置に挿入することができる。
【００７７】
【００７８】
【００７９】
【００８０】
【００８１】
【００８２】
【００８３】
【図面の簡単な説明】
【図１】第１実施例の分解斜視図。
【図２】トレイの斜視図。
【図３】図２のＡ−Ａ線断面図。
【図４】記録再生装置へ挿入する状態を示す斜視図。
【図５】記録再生装置に装填された状態の断面図。
【図６】第２実施例の斜視図。
【図７】トレイの斜視図。
【図８】図７のＡ−Ａ線断面図。
【図９】第３実施例の要部の斜視図。
【図１０】変形例の要部の斜視図。
【図１１】（Ａ）第４実施例の要部の斜視図。
（Ｂ）変形例の要部の斜視図。
【図１２】要部の断面図。
【図１３】（Ａ）図１２のＡ−Ａ線断面図。
（Ｂ）変形例の断面図。
【図１４】第５実施例の要部の斜視図。
【図１５】要部の断面図。
【図１６】第６実施例の斜視図。
【図１７】第７実施例の斜視図。
【図１８】要部の断面図。
【図１９】ディスク周面押圧部材の変形例の斜視図。
【図２０】（Ａ）弾性舌片の変形例の斜視図。
（Ｂ）弾性舌片の変形例の斜視図。
（Ｃ）弾性舌片の変形例の斜視図。
【図２１】第８実施例の斜視図。
【図２２】第９実施例の斜視図。
【図２３】（Ａ）第１０実施例の要部の斜視図。
（Ｂ）要部の断面図。
【図２４】第１１実施例の要部の断面図。
【図２５】第１２実施例の要部の断面図。
【図２６】第１３実施例の要部の断面図。
【図２７】第１４実施例の分解斜視図。
【図２８】第１４実施例の斜視図。
【図２９】要部の断面図。
【図３０】変形例の分解斜視図。
【図３１】変形例の要部の断面図。
【図３２】第１５実施例の要部の斜視図。
【図３３】トレイを積み重ねた状態の断面図。
【図３４】凸部の拡大斜視図。
【図３５】第１６実施例の要部の斜視図。
【図３６】トレイを積み重ねた状態の斜視図。
【図３７】従来例の斜視図。
【図３８】他の従来例の斜視図。
【符号の説明】
１…ディスク収納ケース、２…トレイ、３…ケース本体部、４…蓋部、２７…駆動軸挿入用の開口部、３２，３３…グリップ部、３４，３５…位置決め孔、７１，７２…挿入ガイド溝、８１…ディスク載置用の突部、９１…クニーニング部材、１０１，１０２…トレイとケース本体部の内，外周面に設けられた係合用の凹，凸部、１１１…ディスク周面押圧部材、１２１…トレイ上面押圧部材、１２６…指掛け用の突起、１３１…枢支部、１５１…トレイ相互結合用の凹，凸部、１６１…ファイル用の貫通孔、２００…ディスク。
【図１】
0003570111.tif 000002
【図２】
0003570111.tif 000003
【図３】
0003570111.tif 000004
【図４】
0003570111.tif 000005
【図５】
0003570111.tif 000006
【図６】
0003570111.tif 000007
【図７】
0003570111.tif 000008
【図８】
0003570111.tif 000009
【図９】
0003570111.tif 000010
【図１０】
0003570111.tif 000011
【図１１】
0003570111.tif 000012
【図１２】
0003570111.tif 000013
【図１３】
0003570111.tif 000014
【図１４】
0003570111.tif 000015
【図１５】
0003570111.tif 000016
【図１６】
0003570111.tif 000017
【図１７】
0003570111.tif 000018
【図１８】
0003570111.tif 000019
【図１９】
0003570111.tif 000020
【図２０】
0003570111.tif 000021
【図２１】
0003570111.tif 000022
【図２２】
0003570111.tif 000023
【図２３】
0003570111.tif 000024
【図２４】
0003570111.tif 000025
【図２５】
0003570111.tif 000026
【図２６】
0003570111.tif 000027
【図２７】
0003570111.tif 000028
【図２８】
0003570111.tif 000029
【図２９】
0003570111.tif 000030
【図３０】
0003570111.tif 000031
【図３１】
0003570111.tif 000032
【図３２】
0003570111.tif 000033
【図３３】
0003570111.tif 000034
【図３４】
0003570111.tif 000035
【図３５】
0003570111.tif 000036
【図３６】
0003570111.tif 000037
【図３７】
0003570111.tif 000038
【図３８】
0003570111.tif 000039